(57)【要約】【課題】  本発明による底質・水質浄化方法は、水中の植物プランクトン等による光合成を利用して水中の溶存酸素量を増加せしめ、それに伴い水中の微生物の活動を活発化させ、水質悪化の原因となっているヘドロ等の有機物の分解を促進させることによって、底質・水質浄化を図るものである。底質・水質浄化を必要とする水域は透明度が少なく、太陽光等の光が水中に十分到達しないため、植物プランクトン等による光合成が行われる範囲は水面付近のみで極めて少ない状態となる。【解決手段】  これに対し、透明な袋に透明度の高い水等の液体を充填したチューブ形態のものを、ブイや台船等の浮体構造物等に固定し、濁った水中に沈めることにより、水中への光の透過経路を構築し、もって水深の深い水中まで太陽光等の光を到達させることができる。【選択図】図１
2012016689.tif 000002
【特許請求の範囲】
【請求項１】
太陽光等の光を人工的に水中に積極的かつ安価に取り込む方法により、ハードな堤体構造等または光ファイバーへの集光装置等を必要とせず、水深の深いところまで太陽光等の光を到達させ、植物プランクトン等による光合成作用を効率的に行うことを特徴とする底質・水質浄化方法。
【請求項２】
太陽光等の光を人工的に水中に積極的に取り込む方法は、透明な袋に透明度の高い水等の液体を注入したチューブを水中深くまで、複数本浮かべ、水中に光の透過経路を構築する。水面上において、そのチューブに太陽光あるいは人工的な照明光等を射し込ませ、濁った水中の中まで光を到達させることができ、水深の深い範囲まで光合成作用を促進させ、底質・水質浄化を効率的かつ経済的に実施することを可能とした底質・水質浄化方法。
【発明の詳細な説明】
【技術分野】
【０００１】  本発明は、植物性プランクトン等の水生生物の光合成作用を使い、特に閉鎖的水域の底質および水質の浄化方法に関するものである。
【背景技術】
【０００２】  水位変化のある水域で、堤体構造によって囲い締め切られた水域を「水域のうつろ」と称し、この限られた水域の中で光（太陽）による浄化を促進させ、浄化後の水と外の水を入れ替える作業を繰り返すことにより、水域全域に水質浄化を行う方法が提案されている。【０００３】  しかし、限られた水域を構築するためには、大規模な堰堤工事を伴うとともに、水質浄化の範囲も限定的となる。【０００４】  海上に設置した採光器で太陽光を集め、その光を光ファイバーにより直接底層環境に導入し、底層の植物プランクトンの光合成を促進して底層付近に酸素を供給する方法がある。【０００５】  しかし、光ファイバー１心に太陽光を挿入する太陽光集光装置およびその固定架台構築にかかるコストが高いため、底層付近に供給できる太陽光を増やすには莫大な費用を要することとなる。
【先行技術文献】
【特許文献】
【０００６】
【特許文献１】特願２００６−５１４０４７（Ｐ２００６−５１４０４７）
【非特許文献】
【０００７】
【非特許文献２】石田祐三郎・杉田治男  編「海の環境微生物学」（恒星社厚生閣）「光ファイバーによる底質の貧酸素防止」
【発明の概要】
【発明が解決しようとする課題】
【０００８】  「海洋の空（うつろ）」による底質・水質浄化方法では、当初太陽光は水深の深いところまで到達することはできず、水面付近から徐々に水質浄化され、透明度が進んでくるまで水底までの水質浄化が進まない問題がある。【０００９】  また、ハードな堤体構造を構築するための費用と期間が必要なことと、その限られた中での水質浄化を繰り返すため、水域全域に対する底質・水質浄化効率は極めて低いことが問題である。【００１０】  光ファイバーを利用する底質・水質浄化方法では、特殊な集光装置やそれらを支える標柱などに要するコストが莫大となり、光照射の範囲も限られたもので効率的な水質・底質浄化は期待できないことが問題である。
【課題を解決するための手段】
【００１１】  本発明は、太陽光等の光を人工的に水中に積極的に取り込む方法により、ハードな堤体構造等を必要とせず、水深の深いところまで太陽光等の光を到達させ、植物プランクトン等による光合成作用を効率的に行うことを特徴とする。これにより水中の溶存酸素量が増えることにより、底質中および水中内の微生物の活動が高まり、ヘドロ等の有機物の分解が進み、底質・水質浄化が効率的かつ広範囲に行われるものである。
【発明の効果】
【００１２】  本発明における太陽光等の光を人工的に水中に積極的に取り込む方法は、透明な袋に透明度の高い水等の液体を注入したチューブを水中深くまで、複数本浮かべ、水中に光の透過経路を構築する。水面上において、そのチューブに太陽光あるいは人工的な照明光等を射し込ませ、濁った水中の中まで光を到達させることができ、水深の深い範囲まで光合成作用を促進させ、水質浄化を効率的かつ経済的に実施することができる。
【図面の簡単な説明】
【００１３】
【図１】図１はブイに固定したチューブを複数個つなげて水中への光の透過経路を構築する方法を示した説明図である。（実施例１）
【図２】図２は台船の側面に固定したチューブを複数個つなげて水中への光の透過経路を構築する方法を示した説明図である。（実施例２）
【発明を実施するための形態】
【００１４】  以下、本発明による水質浄化方法の実施の形態を図に基づいて説明する。本発明による底質・水質浄化方法は、水中の植物プランクトン等による光合成を利用して底質中および水中の溶存酸素量を増加せしめ、それに伴い底質中および水中の微生物の活動を活発化させ、水質悪化の原因となっているヘドロ等の有機物の分解を促進させることによって、底質・水質浄化を図るものである。
【００１５】  底質・水質浄化を必要とする水域は透明度が少なく、太陽光等の光が水中に十分到達しないため、植物プランクトン等による光合成が行われる範囲は水面付近のみで極めて少ない状態となる。これに対し、例えば透明な袋に透明度の高い水等の液体を充填したチューブ形態のものを、ブイや台船等の浮体構造物等に固定し、濁った水中に沈めることにより、水中への光の透過経路を構築し、もって水深の深い水中まで太陽光等の光を到達させることができる。
【実施例１】
【００１６】  図１は、本発明の１実施例の断面図であって、ドーナッツ状のブイの中央の開口部に透明の袋を固定し、袋の中を透明度の高い水等の液体で充填し、底質・水質浄化を行う水域にある間隔で配置する。１はドーナッツ状のブイであり、２は透明の袋であり、３は濁った水域を表し、４は袋の中に満たされた透明度の高い水等の液体であり、５は太陽光を効率的にチューブ内に取り込むためのプリズムであり、６はブイをつなぐ鎖である。複数の隣接したブイはロープ等でつないでおくものとし、またチューブ配置間隔は水域の透明度によって決定しても良い。これにより、水中に水深方向に伸びるチューブ状の部分をとおり、太陽光を始め、照明等の人口光等を水中深くまで到達させることができる。
【実施例２】
【００１７】  図２の実施例は、台船の側面に透明の袋を固定し、袋の中を透明度の高い水等の液体で充填し、ある間隔で配置する。６は台船であり、７は透明の袋（幅広）であり、８は濁った水域を表し、９は袋の中に満たされた透明度の高い水等の液体であり、１０は太陽光を効率的にチューブ内に取り込むための反射板である。水質浄化の範囲により、複数の台船を連結するものとし、またチューブ配置間隔は水域の透明度によって決定しても良い。これにより、水中に水深方向に伸びるチューブ状の部分をとおり、太陽光等の光が水中深くまで到達することができる。
【産業上の利用可能性】
【００１８】  湾等の閉鎖性の海域や湖沼等の水域において、悪化した底質および水質を浄化し、多様な生物が生息できる豊かな環境を取り戻すために、本発明は大いに役立つものである。太陽光や水中の植物プランクトン等を利用した方法で、イニシャルコストおよびランニングコストが極めて少なくすみ、自然にやさしい底質・水質浄化方法である。また、本方法により水域の透明度が改善されることにより、直接水中へ届く光の量も増えてくることにより、底質・水質浄化の効果は高まることが期待される。
【符号の説明】
【００１９】    １  ドーナッツ状のブイ
２  透明の袋
３  濁った水域
４  袋の中に満たされた透明度の高い水等の液体
５  太陽光を効率的にチューブ内に取り込むためのプリズム
６  ブイをつなぐ鎖
７  台船
８  透明の袋（幅広）
９  濁った水域
１０  袋の中に満たされた透明度の高い水等の液体
１１  太陽光を効率的にチューブ内に取り込むための反射板
【図１】
2012016689.tif 000003
【図２】
2012016689.tif 000004